(57)【要約】【課題】再生専用の光ディスクとの互換性を短時間で確保することを可能とする。【解決手段】光ディスクの排出要求があると、データ領域がＡＶデータ領域とＰＣデータ領域とに分割されており（ステップ４０３）、かつＡＶデータとＬＯ領域との間の未記録部の大きさが予め設定されている閾値以上であれば（ステップ４０５）、ＡＶデータ領域に記録されているＡＶデータの直後の６４ＥＣＣブロックにリードアウト属性データが記録される（ステップ４０７）。これにより、リードアウト属性データの後方に未記録部が残っていても、ＤＶＤ−ＲＯＭドライブ装置を用いて、ＡＶデータ領域に記録されている情報を正しく再生することができる。すなわち、再生専用の光ディスクとの互換性を短時間で確保することが可能となる。【選択図】図６
2006172566.tif 000002
【特許請求の範囲】
【請求項１】
光ディスクの記録面に情報記録装置を用いて情報を記録する記録方法であって、
前記記録面に記録されているユーザデータの途中に未記録部が存在するときに、前記未記録部の前方に記録されているユーザデータの後ろに、リードアウトよりも少ない量のリードアウトの属性を有するデータを記録する工程を含む記録方法。
【請求項２】
前記リードアウトの属性を有するデータを記録する工程に先立って、前記情報記録装置からの前記光ディスクの排出要求があるか否かを判断する工程を更に含み、
前記判断の結果、前記光ディスクの排出要求がある場合に、前記リードアウトの属性を有するデータを記録する工程を実施することを特徴とする請求項１に記載の記録方法。
【請求項３】
前記リードアウトの属性を有するデータを記録する工程に先立って、前記リードアウトの属性を有するデータの記録要求があるか否かを判断する工程を更に含み、
前記判断の結果、前記リードアウトの属性を有するデータの記録要求がある場合に、前記リードアウトの属性を有するデータを記録する工程を実施することを特徴とする請求項１に記載の記録方法。
【請求項４】
前記リードアウトの属性を有するデータが記録されたことを示す情報を前記記録面に記録する工程を更に含むことを特徴とする請求項１〜３のいずれか一項に記載の記録方法。
【請求項５】
前記未記録部の後方に記録されているユーザデータの前後にリードインの属性を有するデータ及びリードアウトの属性を有するデータをそれぞれ記録する工程を更に含むことを特徴とする請求項１〜４のいずれか一項に記載の記録方法。
【請求項６】
前記リードインの属性を有するデータ及びリードアウトの属性を有するデータをそれぞれ記録する工程に先立って、リードインの属性を有するデータ及びリードアウトの属性を有するデータの記録要求があるか否かを判断する工程を更に含み、
前記判断の結果、リードインの属性を有するデータ及びリードアウトの属性を有するデータの記録要求がある場合に、前記リードインの属性を有するデータ及びリードアウトの属性を有するデータをそれぞれ記録する工程を実施することを特徴とする請求項５に記載の記録方法。
【請求項７】
前記未記録部の後方に記録されているユーザデータの後ろにリードアウトの属性を有するデータが記録されたことを示す情報を前記記録面に記録する工程を更に含むことを特徴とする請求項５又は６に記載の記録方法。
【請求項８】
光ディスクの記録面に情報を記録可能な情報記録装置に用いられるプログラムであって、
前記記録面に記録されているユーザデータの途中に未記録部が存在するときに、該未記録部の前方に記録されているユーザデータの後ろにリードアウトよりも少ない量のリードアウトの属性を有するデータを記録する手順を前記情報記録装置の制御用コンピュータに実行させるプログラム。
【請求項９】
前記未記録部の後方に記録されているユーザデータの前後にリードインの属性を有するデータ及びリードアウトの属性を有するデータをそれぞれ記録する手順を前記制御用コンピュータに更に実行させることを特徴とする請求項８に記載のプログラム。
【請求項１０】
請求項８又は９に記載のプログラムが記録されたコンピュータ読み取り可能な記録媒体。
【請求項１１】
光ディスクの記録面に情報を記録可能な情報記録装置であって、
光ピックアップ装置と；
前記記録面に記録されているユーザデータの途中に未記録部が存在するときに、前記光ピックアップ装置を介して、前記未記録部の前方に記録されているユーザデータの後ろにリードアウトよりも少ない量のリードアウトの属性を有するデータを記録する処理装置と；を備える情報記録装置。
【請求項１２】
前記処理装置は、前記光ディスクの排出要求があったときに、前記リードアウトの属性を有するデータを記録することを特徴とする請求項１１に記載の情報記録装置。
【請求項１３】
前記処理装置は、前記リードアウトの属性を有するデータの記録要求があったときに、前記リードアウトの属性を有するデータを記録することを特徴とする請求項１１に記載の情報記録装置。
【請求項１４】
前記処理装置は、更に、前記リードアウトの属性を有するデータが記録されたことを示す情報を前記記録面に記録することを特徴とする請求項１１〜１３のいずれか一項に記載の情報記録装置。
【請求項１５】
前記処理装置は、更に、前記未記録部の後方に記録されているユーザデータの前後にリードインの属性を有するデータ及びリードアウトの属性を有するデータをそれぞれ記録することを特徴とする請求項１１〜１４のいずれか一項に記載の光ディスク装置。
【請求項１６】
前記処理装置は、前記リードインの属性を有するデータ及びリードアウトの属性を有するデータの記録要求があったときに、前記リードインの属性を有するデータ及びリードアウトの属性を有するデータをそれぞれ記録することを特徴とする請求項１５に記載の光ディスク装置。
【請求項１７】
前記処理装置は、更に、前記未記録部の後方に記録されているユーザデータの後ろにリードアウトの属性を有するデータが記録されたことを示す情報を前記記録面に記録することを特徴とする請求項１５又は１６に記載の光ディスク装置。
【発明の詳細な説明】
【技術分野】
【０００１】
本発明は、記録方法、プログラム及び記録媒体、並びに情報記録装置に係り、更に詳しくは、情報を光ディスクに記録する記録方法及び情報記録装置、情報記録装置で用いられるプログラム及び該プログラムが記録された記録媒体に関する。
【背景技術】
【０００２】
パーソナルコンピュータ（以下「パソコン」と略述する）は、その機能向上及び低価格化に伴い、文書作成、表計算、及びデータベースによるデータ管理などに広く用いられるようになった。そして、パソコンで作成したデータ、及びパソコンで用いられるデータなど（以下「ＰＣデータ」ともいう）を記録するための情報記録媒体としてＣＤ（compact disc）や、ＣＤの約７倍相当のデータをＣＤと同じ直径のディスクに記録可能としたＤＶＤ（digital versatile disc）などの光ディスクが注目されるようになり、光ディスクに情報を記録するための情報記録装置の一つとして光ディスク装置が普及するようになった。
【０００３】
記録可能なＤＶＤとしては、ＤＶＤ＋Ｒ、ＤＶＤ＋ＲＷ、ＤＶＤ−Ｒ、ＤＶＤ−ＲＷ、及びＤＶＤ−ＲＡＭなどが市販されている。
【０００４】
また、デジタル技術の進歩及びデータ圧縮技術の向上に伴い、ビデオデータ（以下「ＡＶデータ」ともいう）が光ディスクに記録されるようになってきた。
【０００５】
近年、ユーザの利便性を考慮して、同一ディスクにＡＶデータとＰＣデータとを混在させて記録することが提案されている(例えば、特許文献１参照)。また、ＡＶデータとＰＣデータとの混在が可能な光ディスクの規格化も精力的に行われている。これによれば、光ディスクの内周部にＡＶデータが記録される領域（以下「ＡＶデータ領域」という）が設けられ、外周部にＰＣデータが記録される領域（以下「ＰＣデータ領域」という）が設けられている。そして、例えばＡＶデータとＰＣデータとが混在して記録された光ディスクは、ＡＶデータの再生が可能な再生環境(例えばＤＶＤプレイヤ)にセットされた場合にはＡＶデータの再生が可能であり、パソコンに接続された光ディスク装置にセットされた場合にはＡＶデータ及びＰＣデータの再生がいずれも可能である。
【０００６】
ところで、再生専用のＤＶＤ−ＲＯＭとの互換性を確保するには、リードインとリードアウトの間に未記録部が存在しないようにする必要がある。そこで、ＤＶＤ−ＲＯＭとの互換性が要求される場合には、ＡＶデータとＰＣデータとを含むユーザデータの記録が完了し、ディスクの排出要求があると、排出前にＡＶデータとＰＣデータとの間の未記録部にダミーデータを記録する必要がある。そして、この場合に、ＡＶデータのデータ量が少なくて、ＡＶデータとＰＣデータとの間の未記録部の大きさが大きいときには、ユーザが排出要求をしてから実際に排出されるまでに長い時間を要するがおそれがある。
【０００７】
なお、情報記録媒体に記録されているユーザデータにダミーデータを付加し、互換性を確保する方法等が提案されている（特許文献２参照）が、この方法等では、ＡＶデータとＰＣデータとの間の未記録部の大きさが大きいときに、ユーザが排出要求をしてから実際に排出されるまでの時間を短縮することは困難である。
【０００８】
【特許文献１】特開２００２−１１７６２９号公報
【特許文献２】特開２００３−３１７３９９号公報
【発明の開示】
【発明が解決しようとする課題】
【０００９】
本発明は、かかる事情の下になされたもので、その第１の目的は、再生専用の光ディスクとの互換性を短時間で確保することを可能とする記録方法を提供することにある。
【００１０】
また、本発明の第２の目的は、情報記録装置の制御用コンピュータにて実行され、再生専用の光ディスクとの互換性を短時間で確保することを可能とするプログラム及びそのプログラムが記録された記録媒体を提供することにある。
【００１１】
また、本発明の第３の目的は、再生専用の光ディスクとの互換性を短時間で確保することができる情報記録装置を提供することにある。
【課題を解決するための手段】
【００１２】
請求項１に記載の発明は、光ディスクの記録面に情報記録装置を用いて情報を記録する記録方法であって、前記記録面に記録されているユーザデータの途中に未記録部が存在するときに、前記未記録部の前方に記録されているユーザデータの後ろに、リードアウトよりも少ない量のリードアウトの属性を有するデータを記録する工程を含む記録方法である。
【００１３】
なお、本明細書では、「リードアウトの属性を有するデータ」は、その内容がリードアウト情報に特定されるものではなく、データ属性がリードアウトとされるダミーデータなども含む。
【００１４】
これによれば、記録面に記録されているユーザデータの途中に未記録部が存在するときに、未記録部の前方に記録されているユーザデータの後ろに、リードアウトよりも少ない量のリードアウトの属性を有するデータが記録される。この場合には、リードアウトの属性を有するデータの後方に未記録部が残っていても、再生専用の光ディスクを再生するためのドライブ装置を用いて、未記録部の前方に記録されている情報を正しく再生することができる。従って、再生専用の光ディスクとの互換性を短時間で確保することが可能となる。
【００１５】
この場合において、請求項２に記載の記録方法の如く、前記リードアウトの属性を有するデータを記録する工程に先立って、前記情報記録装置からの前記光ディスクの排出要求があるか否かを判断する工程を更に含み、前記判断の結果、前記光ディスクの排出要求がある場合に、前記リードアウトの属性を有するデータを記録する工程を実施することとすることができる。
【００１６】
上記請求項１に記載の記録方法において、請求項３に記載の記録方法の如く、前記リードアウトの属性を有するデータを記録する工程に先立って、前記リードアウトの属性を有するデータの記録要求があるか否かを判断する工程を更に含み、前記判断の結果、前記リードアウトの属性を有するデータの記録要求がある場合に、前記記録する工程を実施することとすることができる。
【００１７】
上記請求項１〜３に記載の各記録方法において、請求項４に記載の記録方法の如く、前記リードアウトの属性を有するデータが記録されたことを示す情報を前記記録面に記録する工程を更に含むこととすることができる。
【００１８】
上記請求項１〜４に記載の各記録方法において、請求項５に記載の記録方法の如く、前記未記録部の後方に記録されているユーザデータの前後にリードインの属性を有するデータ及びリードアウトの属性を有するデータをそれぞれ記録する工程を更に含むこととすることができる。
【００１９】
なお、本明細書では、「リードインの属性を有するデータ」は、その内容がリードイン情報に特定されるものではなく、データ属性がリードインとされるダミーデータなども含む。
【００２０】
この場合において、請求項６に記載の記録方法の如く、前記リードインの属性を有するデータ及びリードアウトの属性を有するデータをそれぞれ記録する工程に先立って、リードインの属性を有するデータ及びリードアウトの属性を有するデータの記録要求があるか否かを判断する工程を更に含み、前記判断の結果、リードインの属性を有するデータ及びリードアウトの属性を有するデータの記録要求がある場合に、前記リードインの属性を有するデータ及びリードアウトの属性を有するデータをそれぞれ記録する工程を実施することとすることができる。
【００２１】
上記請求項５及び６に記載の各記録方法において、請求項７に記載の記録方法の如く、前記未記録部の後方に記録されているユーザデータの後ろにリードアウトの属性を有するデータが記録されたことを示す情報を前記記録面に記録する工程を更に含むこととすることができる。
【００２２】
請求項８に記載の発明は、光ディスクの記録面に情報を記録可能な情報記録装置に用いられるプログラムであって、前記記録面に記録されているユーザデータの途中に未記録部が存在するときに、該未記録部の前方に記録されているユーザデータの後ろにリードアウトよりも少ない量のリードアウトの属性を有するデータを記録する手順を前記情報記録装置の制御用コンピュータに実行させるプログラムである。
【００２３】
これによれば、本発明のプログラムが所定のメモリにロードされ、その先頭アドレスがプログラムカウンタにセットされると、情報記録装置の制御用コンピュータは、記録面に記録されているユーザデータの途中に未記録部が存在するときに、該未記録部の前方に記録されているユーザデータの後ろにリードアウトよりも少ない量のリードアウトの属性を有するデータを記録する。すなわち、本発明のプログラムによれば、情報記録装置の制御用コンピュータに請求項１に記載の発明に係る記録方法を実行させることができ、これにより、再生専用の光ディスクとの互換性を短時間で確保することが可能となる。
【００２４】
この場合において、請求項９に記載のプログラムの如く、前記未記録部の後方に記録されているユーザデータの前後にリードインの属性を有するデータ及びリードアウトの属性を有するデータをそれぞれ記録する手順を前記制御用コンピュータに更に実行させることとすることができる。
【００２５】
請求項１０に記載の発明は、請求項８又は９に記載のプログラムが記録されたコンピュータ読み取り可能な記録媒体である。
【００２６】
これによれば、請求項８又は９に記載のプログラムが記録されているために、コンピュータに実行させることにより、再生専用の光ディスクとの互換性を短時間で確保することが可能となる。
【００２７】
請求項１１に記載の発明は、光ディスクの記録面に情報を記録可能な情報記録装置であって、光ピックアップ装置と；前記記録面に記録されているユーザデータの途中に未記録部が存在するときに、前記光ピックアップ装置を介して、前記未記録部の前方に記録されているユーザデータの後ろにリードアウトよりも少ない量のリードアウトの属性を有するデータを記録する処理装置と；を備える情報記録装置である。
【００２８】
これによれば、処理装置により、記録面に記録されているユーザデータの途中に未記録部が存在するときに、光ピックアップ装置を介して、未記録部の前方に記録されているユーザデータの後ろにリードアウトよりも少ない量のリードアウトの属性を有するデータが記録される。この場合には、リードアウトの属性を有するデータの後方に未記録部が残っていても、再生専用の光ディスクを再生するためのドライブ装置を用いて、未記録部の前方に記録されているユーザデータを正しく再生することができる。従って、再生専用の光ディスクとの互換性を短時間で確保することが可能となる。
【００２９】
この場合において、請求項１２に記載の情報記録装置の如く、前記光ディスクの排出要求があったときに、前記リードアウトの属性を有するデータを記録することとすることができる。
【００３０】
上記請求項１１に記載の情報記録装置において、請求項１３に記載の情報記録装置の如く、前記処理装置は、前記リードアウトの属性を有するデータの記録要求があったときに、前記リードアウトの属性を有するデータを記録することとすることができる。
【００３１】
上記請求項１１〜１３に記載の各情報記録装置において、請求項１４に記載の情報記録装置の如く、前記処理装置は、更に、前記リードアウトの属性を有するデータが記録されたことを示す情報を前記記録面に記録することとすることができる。
【００３２】
上記請求項１１〜１４に記載の各情報記録装置において、請求項１５に記載の情報記録装置の如く、前記処理装置は、更に、前記未記録部の後方に記録されているユーザデータの前後にリードインの属性を有するデータ及びリードアウトの属性を有するデータをそれぞれ記録することとすることができる。
【００３３】
この場合において、請求項１６に記載の情報記録装置の如く、前記処理装置は、前記リードインの属性を有するデータ及びリードアウトの属性を有するデータの記録要求があったときに、前記リードインの属性を有するデータ及びリードアウトの属性を有するデータをそれぞれ記録することとすることができる。
【００３４】
上記請求項１５及び１６に記載の各情報記録装置において、請求項１７に記載の情報記録装置の如く、前記処理装置は、更に、前記未記録部の後方に記録されているユーザデータの後ろにリードアウトの属性を有するデータが記録されたことを示す情報を前記記録面に記録することとすることができる。
【発明を実施するための最良の形態】
【００３５】
以下、本発明の一実施形態を図１〜図１２（Ｃ）に基づいて説明する。図１には、本発明の一実施形態に係る情報記録装置としての光ディスク装置２０の概略構成が示されている。
【００３６】
この図１に示される光ディスク装置２０は、光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。
【００３７】
前記光ピックアップ装置２３は、光ディスク１５の記録面にレーザ光を集光するとともに、その記録面からの反射光を受光するための装置である。この光ピックアップ装置２３は、光ディスク１５に対応した波長のレーザ光を出射する半導体レーザ、前記半導体レーザから出射された光束を光ディスク１５の記録面に集光する対物レンズ、前記記録面で反射された戻り光束を受光する受光器、及び前記対物レンズを駆動するための駆動系（フォーカシングアクチュエータ及びトラッキングアクチュエータ）（いずれも図示省略）などを含んで構成されている。前記受光器は複数の受光素子（又は受光領域）を有し、各受光素子（又は受光領域）での受光量に応じた信号（光電変換信号）を再生信号処理回路２８に出力する。
【００３８】
前記再生信号処理回路２８は、前記受光器の出力信号（複数の光電変換信号）に基づいて、従来と同様にして、サーボ信号（フォーカスエラー信号やトラックエラー信号など）、アドレス情報、同期信号、及びＲＦ信号などを取得する。ここで得られたサーボ信号は前記駆動制御回路２６に出力され、アドレス情報はＣＰＵ４０に出力され、同期信号はエンコーダ２５や駆動制御回路２６などに出力される。また、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００３９】
前記駆動制御回路２６は、再生信号処理回路２８からのトラックエラー信号に基づいて、トラッキング方向に関する対物レンズの位置ずれを補正するための前記トラッキングアクチュエータの駆動信号を生成する。また、駆動制御回路２６は、再生信号処理回路２８からのフォーカスエラー信号に基づいて、対物レンズのフォーカスずれを補正するための前記フォーカシングアクチュエータの駆動信号を生成する。ここで生成された各アクチュエータの駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００４０】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００４１】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００４２】
前記レーザ制御回路２４は、前記半導体レーザの発光パワーを制御する。例えば記録の際には、前記書き込み信号、記録条件及び半導体レーザの発光特性などに基づいて、半導体レーザの駆動信号がレーザ制御回路２４にて生成される。
【００４３】
前記インターフェース３８は、上位装置９０（例えば、パソコン）との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００４４】
前記フラッシュメモリ３９には、ＣＰＵ４０にて解読可能なコードで記述された本発明に係るプログラムを含む各種プログラム、記録パワーや記録ストラテジ情報を含む記録条件、及び半導体レーザの発光特性などが格納されている。
【００４５】
前記ＣＰＵ４０は、フラッシュメモリ３９に格納されている上記プログラムに従って前記各部の動作を制御するとともに、制御に必要なデータなどをＲＡＭ４１及びバッファＲＡＭ３４に保存する。
【００４６】
次に、本実施形態で用いられる前記光ディスク１５について説明する。この光ディスク１５は、現在市販されているＤＶＤ＋ＲＷと同等の物理的性質を有し、基本的にはＤＶＤ＋ＲＷの規格（例えばＥＣＭＡ−３３７参照）に準拠している。従って、光ディスク１５の情報領域（Information Zone）は、一例として図２（Ａ）に示されるように、ディスクの内周側から外周側に向かって、すなわち、アドレスが増加する方向に向かって、３つの領域（リードイン領域（Lead-in Zone）、データ領域（Data Zone）、及びリードアウト領域（Lead-out Zone））に分けられている。
【００４７】
前記リードイン領域は、図３に示されるように、１２のゾーンから構成されている。すなわち、イニシャル・ゾーン（Initial Zone）、インナ・ディスク・テスト・ゾーン（Inner Disc Test Zone）、インナ・ドライブ・テスト・ゾーン（Inner Drive Test Zone）、ガード・ゾーン１（Guard Zone 1）、リザーブド・ゾーン１（Reserved Zone 1）、リザーブド・ゾーン２（Reserved Zone 2）、インナ・ディスク・アイデンティフィケーション・ゾーン（Inner Disc Identification Zone）、リザーブド・ゾーン３（Reserved Zone 3）、リファレンス・コード・ゾーン（Reference Code Zone）、バッファ・ゾーン１（Buffer Zone 1）、コントロール・データ・ゾーン（Control Data Zone）、バッファ・ゾーン２（Buffer Zone 2）である。このリードイン領域は、０１Ｄ８３０ｈ〜０２ＦＦＦＦｈの７５７２８セクタ（４７３３ＥＣＣブロック）の大きさの領域である。なお、ＤＶＤ＋Ｒの規格（例えばＥＣＭＡ−３４９参照）では、ガード・ゾーン１からバッファ・ゾーン２までの領域（０２Ａ４８０ｈ〜０２ＦＦＦＦｈ）をリードイン領域と呼んでいる。
【００４８】
上記インナ・ディスク・アイデンティフィケーション・ゾーンは、１６ＥＣＣブロック（２５６セクタ）からなる領域であり、この領域にはディスク・コントロール・ブロック（Disc Control Block、以下「ＤＣＢ」という）の一種であるフォーマッティング・ディスク・コントロール・ブロック（Formatting Disc Control Block、以下「ＦＤＣＢ」という）が記録される。また、上記コントロール・データ・ゾーンには、データ領域の先頭アドレス及び終了アドレスなどが記録される。
【００４９】
上記ＦＤＣＢは、図４に示されるように１６セクタの情報であり、その最初のセクタは、４バイトのコンテントディスクリプタ（Content Descriptor）、４バイトのアンノウン・コンテントディスクリプタ・アクションズ（Unknown Content Descriptor Actions、以下「ＵＣＤＡ」という）、３２バイトのドライブＩＤ（Drive ID）、及び２００８バイトのコンテントディスクリプタ・スペシフィック（Content Descriptor Specific）から構成されている。続く９セクタは、フォーマッティング・ビットマップ（Formatting bitmap）であり、物理セクタ毎の記録状態が記録される。なお、残る６セクタは予約領域（Reserved）であり、ダミーデータとしてすべて「０」が記録される。
【００５０】
上記コンテントディスクリプタには、このＤＣＢがＦＤＣＢであることを示す情報として「ＦＤＣ」のアスキーコードなどが記録される。上記ＵＣＤＡには、光ディスク装置がＦＤＣＢをサポートしていない場合に禁止すべき処理に関する情報が禁止情報としてビットマップ形式で記録される。この禁止情報には、データ領域への記録に関する禁止情報、ブロックデータ情報のユーザへの通知に関する禁止情報、フォーマットに関する禁止情報、及びブロックデータの内容変更に関する禁止情報などがあり、それぞれ予め決められたビットに対応している。上記ドライブＩＤには、ＦＤＣＢの記録に用いられた光ディスク装置を特定するための情報が記録される。
【００５１】
前記コンテントディスクリプタ・スペシフィックには、図５に示されるように、順に、ＦＤＣＢのアップデート回数（FDCB update count；４バイト）、フォーマットの状態及びモード（Formatting status and mode；４バイト）、最後に記録されたアドレス（Last written address；４バイト、以下「ＬＷＡ」という）、最後にベリファイされたアドレス（Last verified address；４バイト）、ビットマップの先頭アドレス（Bitmap start address；４バイト）、ビットマップ長（Bitmap Length；４バイト）、ディスクＩＤ（Disc ID；３２バイト）、アプリケーション・ディペンデント（Application dependent；３２バイト）、ＡＶデータ領域の先頭アドレス（Start Address in AV Area；４バイト）、ＡＶデータ領域の終了アドレス（End Address in AV Area；４バイト）、ＡＶデータ領域におけるリードアウト属性データの終了アドレス（Last Lead-Out Address in AV Area；４バイト）、ＰＣデータ領域の先頭アドレス（Start Address in PC Area；４バイト）、ＰＣデータ領域の終了アドレス（End Address in PC Area；４バイト）、ＰＣデータ領域におけるリードアウト属性データの終了アドレス（Last Lead-Out Address in PC Area；４バイト）、及びダミーデータ（Reserved；１８３２バイト）が記録される。なお、ＤＶＤ＋ＲＷの規格では、ＡＶデータ領域の先頭アドレス、ＡＶデータ領域の終了アドレス、ＡＶデータ領域におけるリードアウト属性データの終了アドレス、ＰＣデータ領域の先頭アドレス、ＰＣデータ領域の終了アドレス、及びＰＣデータ領域におけるリードアウト属性データの終了アドレスが、それぞれ記録される領域（Ｄ192〜Ｄ215）は、予約領域となっている。
【００５２】
前記データ領域は、一例として図２（Ａ）に示されるように、ＡＶデータを記録するためのＡＶデータ領域（AV Data Area）とＰＣデータを記録するためのＰＣデータ領域（PC Data Area）とに分割されている。そして、ＡＶデータ領域の先頭アドレスと終了アドレス、及びＰＣデータ領域の先頭アドレスと終了アドレスは、それぞれＦＤＣＢの上記所定領域に記録されている。ここでは、ＡＶデータ領域はＰＣデータ領域よりも内周側に設けられている。なお、データ領域の分割は、光ディスク１５がブランクディスクのときに、上位装置９０から発行されるトラック予約コマンド（Reserved Track/Rzone Command；オペレーションコードは５３ｈ）によって、容易に行うことができる。また、ＡＶデータ領域の終端６４ＥＣＣブロックはＬＯ領域（LO Area）であり、ＰＣデータ領域の先頭６４ＥＣＣブロックはＬＩ領域（LI Area）である。
【００５３】
前記リードアウト領域は、７６８セクタからなるバッファ・ゾーン３（Buffer Zone 3）、２５６セクタからなるアウター・ディスク・アイデンティフィケーション・ゾーン（Outer Disc Identification Zone）、４０９６セクタからなるガード・ゾーン２（Guard Zone 2）、４０９６セクタからなるリザーブド・ゾーン４（Reserved Zone 4）、１２２８８セクタからなるアウタ・ドライブ・テスト・ゾーン（Outer Drive Test Zone）、２０４８セクタからなるアウタ・ディスク・テスト・ゾーン（Outer Disc Test Zone）、及び２４４００セクタからなるガード・ゾーン３（Guard Zone 3）から構成されている。すなわち、リードアウト領域は、４７９５２セクタ（２９９７ＥＣＣブロック）の大きさの領域である。なお、ＤＶＤ＋Ｒの規格では、バッファ・ゾーン３とアウター・ディスク・アイデンティフィケーション・ゾーンとガード・ゾーン２とからなる領域（３２０ＥＣＣブロック）をリードアウト領域と呼んでいる。
【００５４】
その後、一例として図２（Ｂ）に示されるように、上位装置９０からのＡＶデータはＡＶデータ領域の先頭から順に記録され、ＰＣデータはＰＣデータ領域のＬＩ領域以降に順に記録される。
【００５５】
次に、光ディスク装置２０に設けられている排出ボタンが押されたとき、あるいは上位装置９０から排出要求コマンドを受信したとき、すなわち光ディスク１５の排出要求があったときの処理（ディスク排出処理）について図６を用いて説明する。図６のフローチャートは、ＣＰＵ４０によって実行される一連の処理アルゴリズムに対応している。排出要求があると、フラッシュメモリ３９に格納されている図６のフローチャートに対応するプログラム（以下「ディスク排出処理プログラム」という）の開始アドレスがＣＰＵ４０のプログラムカウンタにセットされ、ディスク排出処理がスタートする。なお、ここでは、一例として図７（Ａ）に示されるように、ＡＶデータ領域では、ＡＶデータとＬＯ領域との間に未記録部が存在し、ＰＣデータ領域では、ＰＣデータの後方に未記録部が存在しているものとする。
【００５６】
最初のステップ４０１では、一例として図７（Ｂ）に示されるように、リードイン領域に通常のリードインを記録する。
【００５７】
次のステップ４０３では、ＦＤＣＢを参照し、ＡＶデータとＰＣデータとが混在するフォーマットであるか否かを判断する。ここでは、ＦＤＣＢに、ＡＶデータ領域の先頭アドレスと終了アドレス、及びＰＣデータ領域の先頭アドレスと終了アドレスが記録されているので、ここでの判断は肯定され、ステップ４０５に移行する。
【００５８】
このステップ４０５では、ＡＶデータとＬＯ領域との間の未記録部の大きさが予め設定されている閾値以上であるか否かを判断する。未記録部の大きさが前記閾値以上であれば、ここでの判断は肯定され、ステップ４０７に移行する。なお、ここでは、一例として、ＬＯ領域を除くＡＶデータ領域の容量の半分を閾値とする。但し、これに限定されないのは勿論である。
【００５９】
このステップ４０７では、一例として図７（Ｃ）に示されるように、ＡＶデータの直後の６４ＥＣＣブロックにリードアウトの属性を有するデータ（以下「リードアウト属性データ」と略述する）を記録する。このリードアウト属性データは、ＤＶＤ−ＲＯＭのドライブ装置に光ディスク１５をセットしたときに、ＡＶデータの終端を認識するためのデータである。
【００６０】
次のステップ４０９では、一例として図７（Ｄ）に示されるように、ＰＣデータの直前の６４ＥＣＣブロック、すなわちＬＩ領域にリードインの属性を有するデータ（以下「リードイン属性データ」と略述する）を記録する。
【００６１】
次のステップ４１１では、一例として図７（Ｅ）に示されるように、ＰＣデータの直後の６４ＥＣＣブロックにリードアウト属性データを記録する。
【００６２】
次のステップ４１３では、ＡＶデータ領域におけるリードアウト属性データの終了アドレス、及びＰＣデータ領域におけるリードアウト属性データの終了アドレスをＦＤＣＢの前記所定領域に記録する。
【００６３】
次のステップ４２１では、不図示のディスク排出系に光ディスク１５の排出を指示する。そして、ディスク排出処理を終了する。ここでは、排出された光ディスク１５には、一例として図７（Ｅ）に示されるように、ＡＶデータ領域に未記録部（ＬＯ領域を含む）が残留することとなるが、ＡＶデータはリードインとリードアウト属性データとの間にあり、そこには未記録部は存在していないので、通常のＤＶＤ−ＲＯＭドライブ装置でＡＶデータを正常に再生することができる。
【００６４】
ところで、一例として図８（Ａ）に示されるように、ＡＶデータとＬＯ領域との間の未記録部の大きさが前記閾値未満であれば、上記ステップ４０５における判断は否定され、ステップ４１５に移行する。
【００６５】
このステップ４１５では、一例として図８（Ｂ）に示されるように、ＡＶデータとＬＯ領域との間の未記録部の全てにリードアウト属性データを記録する。
【００６６】
次のステップ４１７では、一例として図８（Ｃ）に示されるように、ＬＯ領域にリードアウト属性データを記録する。そして、前記ステップ４０９に移行する。この場合には、一例として図８（Ｄ）に示されるように、ＡＶデータとＰＣデータとの間には未記録部は存在しないこととなる。なお、ＡＶデータはリードインとリードアウト属性データとの間にあり、そこには未記録部は存在していないので、通常のＤＶＤ−ＲＯＭドライブ装置でＡＶデータを正常に再生することができる。
【００６７】
また、光ディスク１５以外の光ディスクがセットされ、一例として図９（Ａ）に示されるように、ＡＶデータとＰＣデータとが混在するフォーマットでなければ、上記ステップ４０３での判断は否定され、ステップ４１９に移行する。このステップ４１９では、一例として図９（Ｂ）に示されるように、ユーザデータの後に通常のリードアウトを記録する。そして、前記ステップ４２１に移行する。
【００６８】
次に、上述の如くして排出された光ディスク１５が再度光ディスク装置２０にセットされ、上位装置９０から未記録部にリードアウト属性データの記録を要求するコマンド（以下「リードアウト属性データ記録コマンド」という）を受信したときの処理（リードアウト属性データ記録処理）について図１０を用いて説明する。図１０のフローチャートは、ＣＰＵ４０によって実行される一連の処理アルゴリズムに対応している。リードアウト属性データ記録コマンドを受信すると、フラッシュメモリ３９に格納されている図１０のフローチャートに対応するプログラム（以下「リードアウト属性データ記録処理プログラム」という）の開始アドレスがＣＰＵ４０のプログラムカウンタにセットされ、リードアウト属性データ記録処理がスタートする。なお、リードアウト属性データ記録コマンドは、既知のコマンドセットには存在しない（規格化されていない）ので、本実施形態では、一例として図１１に示されるように、現在オペレーションコードとして使用されていないＣＢhをオペレーションコードとする１２バイトのコマンドを、リードアウト属性データ記録コマンドとして定義する。
【００６９】
最初のステップ５０１では、ＡＶデータ領域の終了アドレスとＡＶデータ領域のリードアウト属性データの終了アドレスをＦＤＣＢから取得する。
【００７０】
次のステップ５０３では、ＡＶデータ領域の終了アドレスとＡＶデータ領域のリードアウト属性データの終了アドレスとに基づいて、ＡＶデータとＰＣデータとの間に未記録部があるか否かを判断する。一例として図１２（Ａ）に示されるように、ＡＶデータとＰＣデータとの間に未記録部があれば、ここでの判断は肯定され、ステップ５０５に移行する。
【００７１】
このステップ５０５では、一例として図１２（Ｂ）に示されるように、ＡＶデータとＰＣデータとの間の未記録部にリードアウト属性データを記録する。すなわち、リードアウト属性データが追加記録される。
【００７２】
次のステップ５０７では、ＦＤＣＢに記録されているＡＶデータ領域のリードアウト属性データの終了アドレスを更新する。
【００７３】
次のステップ５０９では、未記録部へのリードアウト属性データの記録が完了（Complete）したことを上位装置９０に通知する。そして、リードアウト属性データ記録処理を終了する。
【００７４】
一方、一例として図１２（Ｃ）に示されるように、ＡＶデータとＰＣデータとの間に未記録部がなければ、上記ステップ５０３での判断は否定され、ステップ５０９に移行する。すなわち、直ちに記録完了を上位装置９０に通知する。
【００７５】
以上の説明から明らかなように、本実施形態に係る光ディスク装置２０では、ＣＰＵ４０及び該ＣＰＵ４０によって実行されるプログラムとによって処理装置が実現されている。なお、ＣＰＵ４０によるプログラムに従う処理によって実現した処理装置の少なくとも一部をハードウェアによって構成することとしても良いし、あるいは全てをハードウェアによって構成することとしても良い。
【００７６】
また、本実施形態では、フラッシュメモリ３９に格納されているプログラムのうち、前記ディスク排出処理プログラムによって、本発明に係るプログラムが実行されている。すなわち、図６のステップ４０７の処理に対応するプログラムによって、未記録部の前方に記録されているユーザデータの後ろにリードアウトよりも少ない量のリードアウトの属性を有するデータを記録する手順が実行され、ステップ４０９と４１１の処理に対応するプログラムによって、未記録部の後方に記録されているユーザデータの前後にリードインの属性を有するデータ及びリードアウトの属性を有するデータをそれぞれ記録する手順が実行されている。
【００７７】
そして、図６のステップ４０７の処理によって、本発明に係る記録方法における未記録部の前方に記録されているユーザデータの後ろにリードアウトよりも少ない量のリードアウトの属性を有するデータを記録する工程が実施され、ステップ４０９と４１１の処理によって、未記録部の後方に記録されているユーザデータの前後にリードインの属性を有するデータ及びリードアウトの属性を有するデータをそれぞれ記録する工程が実施され、ステップ４１３の処理によって、未記録部の前方に記録されているユーザデータの後ろにリードアウトの属性を有するデータが記録されたことを示す情報を記録面に記録する工程、及び未記録部の後方に記録されているユーザデータの後ろにリードアウトの属性を有するデータが記録されたことを示す情報を記録面に記録する工程がそれぞれ実施されている。
【００７８】
以上説明したように、本実施形態に係る光ディスク装置２０によると、光ディスク１５の排出要求があると、データ領域がＡＶデータ領域とＰＣデータ領域とに分割されており、かつＡＶデータとＬＯ領域との間の未記録部の大きさが予め設定されている閾値以上であれば、ＡＶデータ領域に記録されているＡＶデータの直後の６４ＥＣＣブロックにリードアウト属性データが記録される。これにより、リードアウト属性データの後方に未記録部が残っていても、ＤＶＤ−ＲＯＭドライブ装置を用いて、ＡＶデータ領域に記録されている情報を正しく再生することができる。また、６４ＥＣＣブロックのリードアウト属性データは、通常のリードアウト（ＤＶＤ＋ＲＷでは２９９７ＥＣＣブロック、ＤＶＤ＋Ｒでは３２０ＥＣＣブロック）よりも少ないデータ量である。従って、再生専用の光ディスクとの互換性を短時間で確保することが可能となる。
【００７９】
また、本実施形態のディスク排出処理によると、ＰＣデータ領域に記録されているＰＣデータの直前の６４ＥＣＣブロックにリードイン属性データが記録され、ＰＣデータの直後の６４ＥＣＣブロックにリードアウト属性データが記録される。これにより、上位装置９０からＰＣデータを認識することができる。
【００８０】
また、本実施形態のディスク排出処理によると、ＡＶデータ領域におけるリードアウト属性データの終了アドレス、及びＰＣデータ領域におけるリードアウト属性データの終了アドレスがＦＤＣＢの所定領域に記録される。これにより、一旦排出された光ディスク１５が再度セットされたときに、ＡＶデータ領域に未記録部が残存しているか否かを即座に知ることができる。
【００８１】
なお、上記実施形態では、光ディスク１５が再度光ディスク装置２０にセットされ、上位装置９０からリードアウト属性データ記録コマンドを受信したときにＡＶデータとＰＣデータとの間の未記録部にリードアウト属性データを記録する場合について説明したが、ＡＶデータとＰＣデータとの間に未記録部が残留している光ディスク１５が再度光ディスク装置２０にセットされると、上位装置９０から記録要求及び再生要求などのアクセス要求がないタイミングを利用して、ＡＶデータとＰＣデータとの間の未記録部にリードアウト属性データを記録しても良い。なお、この場合には、記録完了の上位装置９０への通知は不要である。
【００８２】
また、上記実施形態のディスク排出処理では、６４ＥＣＣブロックのリードアウト属性データが記録されていることを迅速に知ることができるように、ＦＤＣＢにリードアウト属性データの終了アドレスを記録しているが、リードアウト属性データの終了アドレスを参照しない場合には、ＦＤＣＢにリードアウト属性データの終了アドレスを記録しなくても良い。この場合には、図１３に示されるように、ＦＤＣＢにリードアウト属性データの終了アドレスを記録するための領域を設けなくても良い。そして、図６におけるステップ４１３を省くこととなる。
【００８３】
また、上記実施形態のディスク排出処理では、ＡＶデータとＬＯ領域との間の未記録部の大きさが閾値未満であれば、その未記録部の全てにリードアウト属性データを記録する場合について説明したが、ＡＶデータとＬＯ領域との間の未記録部の大きさに関係なく、ＡＶデータの直後の６４ＥＣＣブロックにリードアウト属性データを記録しても良い。この場合には、図６におけるステップ４０５、４１５及び４１７を省くこととなる。
【００８４】
また、上記実施形態のディスク排出処理では、ＡＶデータとＰＣデータとが混在するフォーマットであるか否かを判断する場合について説明したが、ＡＶデータとＰＣデータとが混在するフォーマットであることが明確な場合には、ＡＶデータとＰＣデータとが混在するフォーマットであるか否かを判断しなくても良い。この場合には、図６におけるステップ４０３及び４１９を省くことができる。
【００８５】
また、上記実施形態では、ＬＯ領域及びＬＩ領域の大きさがそれぞれ６４ＥＣＣブロックの場合について説明したが、ＬＯ領域及びＬＩ領域の大きさは６４ＥＣＣブロックに限定されるものではなく、さらに、ＬＯ領域及びＬＩ領域の大きさが互いに異なっていても良い。それぞれデータの終端部及び先頭部であることが対応するドライブ装置で認識することができれば良い。
【００８６】
《変形例》
また、上記実施形態では、光ディスク１５の排出要求があったときに、６４ＥＣＣブロックのリードアウト属性データ等を記録する場合について説明したが、排出要求前に上位装置９０からのクローズ要求コマンド（Close Track/Session Command）に応じて６４ＥＣＣブロックのリードアウト属性データ等を記録しても良い。このクローズ要求コマンドは、図１４に示されるように、５Ｂhをオペレーションコードとし、バイト（Byte）２のビット（Bit）２〜０にクローズファンクション（Close Function）がセットされ、バイト５にトラック番号（Track Number）がセットされた１２バイトから構成されるコマンドである。規格では、クローズファンクションが「１１１」の場合はベンダー・ユニーク・コード（Vendor Unique Code）とされており、ここでは、クローズファンクションが「１１１」のときに、トラック番号に応じた処理を行うものとする。すなわち、クローズファンクションが「１１１」であるクローズ要求コマンドは、６４ＥＣＣブロックのリードアウト属性データ等の記録を要求するコマンドでもあることとなる。そこで、上位装置９０が排出要求前にクローズ要求コマンドを発行したときの光ディスク装置２０での動作について図１５を用いて説明する。図１５のフローチャートは、ＣＰＵ４０によって実行される一連の処理アルゴリズムに対応している。なお、トラック番号はビットマップ形式であり、ビット０がＡＶデータ領域に対応し、ビット１がＰＣデータ領域に対応している。
【００８７】
上位装置９０からクローズ要求コマンドを受信すると、フラッシュメモリ３９に格納されている図１５のフローチャートに対応するプログラム（以下「クローズ処理プログラム」という）の開始アドレスがＣＰＵ４０のプログラムカウンタにセットされ、クローズ処理がスタートする。
【００８８】
最初のステップ６０１では、リードイン領域にリードインを記録する。
【００８９】
次のステップ６０３では、クローズ要求コマンドからクローズファンクションを抽出する。
【００９０】
次のステップ６０５では、クローズファンクションが「１１１」であるか否かを判断する。クローズファンクションが「１１１」であれば、ここでの判断は肯定され、ステップ６０７に移行する。
【００９１】
このステップ６０７では、クローズ要求コマンドからトラック番号を抽出する。
【００９２】
次のステップ６０９では、トラック番号のビット０が「１」であるか否かを判断する。トラック番号のビット０が「１」であれば、ここでの判断は肯定されステップ６１１に移行する。
【００９３】
このステップ６１１では、上記実施形態におけるステップ４０５と同様に、ＡＶデータとＬＯ領域との間の未記録部の大きさが前記閾値以上であるか否かを判断する。ＡＶデータとＬＯ領域との間の未記録部の大きさが前記閾値以上であれば、ここでの判断は肯定され、ステップ６１３に移行する。
【００９４】
このステップ６１３では、上記実施形態におけるステップ４０７と同様な処理を行う。
【００９５】
次のステップ６１５では、上記実施形態におけるステップ４０９と同様な処理を行う。
【００９６】
次のステップ６１７では、トラック番号のビット１が「１」であるか否かを判断する。トラック番号のビット１が「１」であれば、ここでの判断は肯定されステップ６１９に移行する。
【００９７】
このステップ６１９及びそれに続くステップ６２１では、それぞれ上記実施形態におけるステップ４１１及び４１３と同様な処理を行う。
【００９８】
次のステップ６２３では、クローズ処理が完了したことを上位装置９０に通知する。そして、クローズ処理を終了する。
【００９９】
なお、上記ステップ６１７において、トラック番号のビット１が「０」であれば、ここでの判断は否定されステップ６２９に移行する。
【０１００】
このステップ６２９では、ＰＣデータの後に通常のリードアウトを記録する。そして、上記ステップ６２１に移行する。
【０１０１】
また、上記ステップ６１１において、ＡＶデータとＬＯ領域との間の未記録部の大きさが前記閾値未満であれば、ここでの判断は否定され、ステップ６２５に移行する。
【０１０２】
このステップ６２５及びそれに続くステップ６２７では、それぞれ上記実施形態におけるステップ４１５及び４１７と同様な処理を行う。そして、上記ステップ６１５に移行する。
【０１０３】
また、上記ステップ６０９において、トラック番号のビット０が「０」であれば、ここでの判断は否定され上記ステップ６２５に移行する。
【０１０４】
さらに、上記ステップ６０５において、クローズファンクションが「１１１」でなければ、ここでの判断は否定され、ステップ６３１に移行する。
【０１０５】
このステップ６３１及び次のステップ６３３、６３５では、それぞれ上記実施形態におけるステップ４１５、４１７及び４０９と同様な処理を行う。
【０１０６】
次のステップ６３７では、上記ステップ６２９と同様な処理を行う。そして、上記ステップ６２１に移行する。
【０１０７】
この変形例においても、上記実施形態と同様な効果を得ることができる。この変形例では、フラッシュメモリ３９に格納されているプログラムのうち、前記クローズ処理プログラムによって、本発明に係るプログラムが実行されている。すなわち、図１５のステップ６１３の処理に対応するプログラムによって、未記録部の前方に記録されているユーザデータの後ろにリードアウトよりも少ない量のリードアウトの属性を有するデータを記録する手順が実行され、ステップ６１５と６１９の処理に対応するプログラムによって、未記録部の後方に記録されているユーザデータの前後にリードインの属性を有するデータ及びリードアウトの属性を有するデータをそれぞれ記録する手順が実行されている。
【０１０８】
なお、この変形例においても、ＡＶデータとＬＯ領域との間の未記録部の大きさに関係なく、ＡＶデータの直後の６４ＥＣＣブロックにリードアウト属性データを記録しても良い。この場合には、図１５におけるステップ６１１を省くこととなる。
【０１０９】
また、上記実施形態では、本発明に係るプログラムは、フラッシュメモリ３９に記録されているが、他の記録媒体（ＣＤ、光磁気ディスク、ＤＶＤ、メモリカード、ハードディスク、ＵＳＢメモリ、フレキシブルディスク等）に記録されていても良い。この場合には、各記録媒体に対応する再生装置（又は専用インターフェース）を介して本発明に係るプログラムをフラッシュメモリ３９にロードすることとなる。また、ネットワーク（ＬＡＮ、イントラネット、インターネットなど）を介して本発明に係るプログラムをフラッシュメモリ３９に転送しても良い。要するに、本発明に係るプログラムがフラッシュメモリ３９に格納されていれば良い。
【０１１０】
また、上記実施形態では、光ディスク１５がＤＶＤ＋ＲＷの規格に準拠した光ディスクである場合について説明したが、本発明がこれに限定されるものではなく、例えば約４０５ｎｍの波長の光に対応した次世代の情報記録媒体であっても良い。要するに光を利用して情報を記録することが可能な情報記録媒体であれば良い。
【０１１１】
また、上記実施形態では、光ディスク１５が１つの記録層を有する場合について説明したが、これに限らず、複数の記録層を有していても良い。この場合に、ＣＤの規格に準拠した記録層とＤＶＤの規格に準拠した記録層とが混在しても良い。
【０１１２】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。
【０１１３】
また、上記実施形態では、情報記録装置が光ディスク装置の場合について説明したが、これに限らず、例えばＤＶＤレコーダであっても良い。要するに光を利用して情報を記録することが可能な装置であれば良い。
【産業上の利用可能性】
【０１１４】
以上説明したように、本発明の記録方法によれば、再生専用の光ディスクとの互換性を短時間で確保するのに適している。また、本発明の情報記録装置によれば、再生専用の光ディスクとの互換性を短時間で確保するのに適している。また、本発明のプログラム及び記憶媒体によれば、情報記録装置に、再生専用の光ディスクとの互換性を短時間で確保させるのに適している。
【図面の簡単な説明】
【０１１５】
【図１】本発明の一実施形態に係る情報記録装置としての光ディスク装置の構成を示すブロック図である。
【図２】図２（Ａ）及び図２（Ｂ）は、ぞれぞれ図１における光ディスクの情報領域のレイアウトを説明するための図である。
【図３】図２（Ａ）及び図２（Ｂ）におけるリードイン領域を説明するための図である。
【図４】図３におけるインナ・ディスク・アイデンティフィケーション・ゾーンに記録されるＦＤＣＢを説明するための図である。
【図５】図４におけるコンテントディスクリプタ・スペシフィックの詳細を説明するための図である。
【図６】図１の光ディスク装置での排出処理を説明するためのフローチャートである。
【図７】図７（Ａ）〜図７（Ｅ）は、それぞれ図６の排出処理を説明するための図（その１）である。
【図８】図８（Ａ）〜図８（Ｄ）は、それぞれ図６の排出処理を説明するための図（その２）である。
【図９】図９（Ａ）及び図９（Ｂ）は、それぞれ図６の排出処理を説明するための図（その３）である。
【図１０】図１の光ディスク装置でのリードアウト属性データ記録処理を説明するためのフローチャートである。
【図１１】リードアウト属性データ記録コマンドを説明するための図である。
【図１２】図１２（Ａ）〜図１２（Ｃ）は、それぞれ図１０のリードアウト属性データ記録処理を説明するための図である。
【図１３】コンテントディスクリプタ・スペシフィックの変形例を説明するための図である。
【図１４】クローズ要求コマンドを説明するための図である。
【図１５】図１の光ディスク装置でのクローズ処理を説明するためのフローチャートである。
【符号の説明】
【０１１６】
１５…光ディスク、２０…光ディスク装置（情報記録装置）、２３…光ピックアップ装置、３９…フラッシュメモリ（記録媒体）、４０…ＣＰＵ（処理装置）。
【図１】
2006172566.tif 000003
【図２】
2006172566.tif 000004
【図３】
2006172566.tif 000005
【図４】
2006172566.tif 000006
【図５】
2006172566.tif 000007
【図６】
2006172566.tif 000008
【図７】
2006172566.tif 000009
【図８】
2006172566.tif 000010
【図９】
2006172566.tif 000011
【図１０】
2006172566.tif 000012
【図１１】
2006172566.tif 000013
【図１２】
2006172566.tif 000014
【図１３】
2006172566.tif 000015
【図１４】
2006172566.tif 000016
【図１５】
2006172566.tif 000017